(57)【要約】【課題】光加飾がなされる表示装置において、光加飾するための光源の設置場所を容易に確保できるようにすること。【解決手段】表示内容に関する文字印刷が施された印刷面１０１を有する文字板１０は、側面視において、その一部が、印刷面１０１に対して突出された突出部１５を有する。文字板１０には、光が当てられることで当該部分が照明される立体加飾部３２が設けられる。立体加飾部３２を照明するためのＬＥＤ６０は、文字板１０の裏側に配置され、裏側から突出部１５に向けて光を発する。ＬＥＤ６０からの光ＬＬ１を突出部１５まで導く導光材７０が、その端面７１が突出部１５の内側に位置するように設けられる。また、端面７１は、その向きが調節されて、ＬＥＤ６０からの光ＬＬ１を直角に反射する反射部として機能させる。端面７１で反射された反射光ＬＬ２を印刷面１０１上に走らせて、立体加飾部３２に当てる。【選択図】図４
2011186281.tif 000002
【特許請求の範囲】
【請求項１】
表示内容に関する印刷が施された文字板と、
その文字板の周辺に配置された、前記文字板に対して光加飾をするものであって、光が当てられることで当該部分が照明される光加飾部と、
光源と、
前記光源からの光の進行方向に配置され、その光を前記光加飾部の方向に反射させる反射部と、を備え、
前記光加飾部は、前記反射部で反射された反射光が当てられて照明されることを特徴とする表示装置。
【請求項２】
前記光加飾部は、前記文字板の面上に配置され、
前記文字板は、その一部が、周囲の面に対して突出された突出部を有し、
前記光源は、前記文字板の裏側に配置され、裏側から前記文字板の前記突出部に向けて光を発し、
前記反射部は、前記突出部の内側に配置され、前記光源からの光を前記突出部の側面部から出射するように反射し、
前記反射部で反射された反射光を前記文字板の面上に走らせて、前記光加飾部を照明させることを特徴とする請求項１に記載の表示装置。
【請求項３】
前記光加飾部は、前記文字板の面上に配置された立体加飾部であり、
前記光源からの光を前記突出部まで導く導光部であって、その端面が前記突出部の内側に位置し、且つ、前記端面の向きが角度調節されることで、前記端面が前記反射部とされた導光部を備え、
前記導光部の端面で反射された反射光を前記文字板の面上に走らせて、前記立体加飾部を照明させることを特徴とする請求項２に記載の表示装置。
【請求項４】
前記立体加飾部は、透明樹脂から形成されたことを特徴とする請求項３に記載の表示装置。
【請求項５】
前記立体加飾部は、前記反射光が当たる面の面粗さの度合いが調節されたことを特徴とする請求項４に記載の表示装置。
【請求項６】
前記立体加飾部は、光を透過しない不透過樹脂から形成されたことを特徴とする請求項３に記載の表示装置。
【請求項７】
前記立体加飾部は、前記反射光が当たる面の光沢の度合いが調節されたことを特徴とする請求項６に記載の表示装置。
【請求項８】
前記光源からの光を前記突出部まで導く導光部であって、その端面が前記突出部の内側に位置し、且つ、前記端面の向きが角度調節されることで、前記端面が前記反射部とされた導光部と、
前記文字板に対して前側に差し出るように設けられ、前記文字板への異物の侵入を防止する見返しと、を備え、
前記導光部の端面で反射された反射光を前記文字板の面上に走らせて前記見返しに当てて、前記見返しを前記光加飾部として照明させることを特徴とする請求項２に記載の表示装置。
【請求項９】
前記文字板は、前記突出部の上面部に表示内容を示すマークが記されており、前記突出部の周囲の所定領域が前記突出部の上面部を含む前記文字板の面に対して窪んでおり、
前記反射部は、前記光源からの光を、窪んだ前記所定領域である窪み領域の方向に反射し、
前記反射部で反射された反射光を前記窪み領域に当てて、前記窪み領域を前記光加飾部として照明させることを特徴とする請求項２に記載の表示装置。
【請求項１０】
前記光源からの光を前記突出部まで導く導光部であって、その端面が前記突出部の内側に位置し、且つ、前記端面の向きが角度調節されることで、前記端面が前記反射部とされた導光部を備えることを特徴とする請求項９に記載の表示装置。
【請求項１１】
前記光源からの光は、前記光源からの光を前記突出部まで導く導光部を介さないで直接前記突出部に当てられ、
前記突出部自体を前記反射部としたことを特徴とする請求項９に記載の表示装置。
【請求項１２】
前記文字板は透明樹脂から形成され、
前記光加飾部及び前記反射部は、前記文字板の裏側に配置され、
前記反射部で反射された反射光を前記文字板の裏側で走らせて、前記光加飾部を前記文字板の裏側で照明させ、その照明を前記文字板の前側から視認できるようにしたことを特徴とする請求項１に記載の表示装置。
【発明の詳細な説明】
【技術分野】
【０００１】
本発明は、例えば車両用計器として使用される表示装置に関する。
【背景技術】
【０００２】
従来、車両用計器としての表示装置は、スピードメータやエンジン回転数メータ等の各種メータが表示される。具体的には、この種の表示装置は、メータの目盛り等、表示内容に関する印刷が施された文字板を備える。そして、その文字板にメータの指針が取り付けられて、その指針が車速等の計測値を示した目盛りを指示するようになっている。つまり、その文字板の面上にメータが構成されて表示される。
【０００３】
ところで、従来のこの種の表示装置には、表示内容の視認性を向上させ、又は意匠性を向上させる等のために、光加飾がなされるものがある（例えば、特許文献１参照）。例えば、特許文献１の表示装置では、文字板のメータの外周に沿うようにリング状の導光板が設けられる。また、その導光板の端には光源としてのＬＥＤが設けられる。そして、そのＬＥＤが点灯することで、ＬＥＤからの光が導光板の側面に反射しながら導光板内を進行していき、導光板を照明させることができる。つまり、導光板が光加飾部となって、その導光板が照明されることで、メータの視認性を向上させ、又は意匠性を向上させることができる。
【先行技術文献】
【特許文献】
【０００４】
【特許文献１】特開平１０−２０７４０８２号公報
【発明の概要】
【発明が解決しようとする課題】
【０００５】
しかしながら、従来では、光加飾するために、光加飾部としての導光板にＬＥＤを設ける必要があるので、その設置場所を確保するのが困難な場合があった。また、ＬＥＤの設置場所を確保したとしても、そのＬＥＤの設置に伴う表示装置のデザインの自由度を阻害してしまうこともあった。さらに、光加飾部が複数ある場合には、光加飾部ごとにＬＥＤを設ける必要があるので、上記問題がさらに大きくなる。
【０００６】
本発明は上記問題点に鑑みてなされたものであり、光加飾がなされる表示装置において、光加飾するための光源の設置場所を容易に確保できるようにすることを課題とする。
【課題を解決するための手段】
【０００７】
上記課題を解決するために、本発明の表示装置は、表示内容に関する印刷が施された文字板と、
その文字板の周辺に配置された前記文字板に対して光加飾をするものであって、光が当てられることで当該部分が照明される光加飾部と、
光源と、
前記光源からの光の進行方向に配置され、その光を前記光加飾部の方向に反射させる反射部と、を備え、
前記光加飾部は、前記反射部で反射された反射光が当てられて照明されることを特徴とする。
【０００８】
これによれば、光源からの光を反射部で反射して、その反射光を光加飾部に当てることで、光加飾部を照明させるので、光加飾部を照明させるための光源を光加飾部に設ける必要がない。よって、光源の設置場所を容易に確保できる。また、広範囲に渡って光加飾部がある場合や複数の光加飾部がある場合であっても、反射部による光の反射方向を調節することで、光源からの光を複数方向に反射させることができる。よって、光源の個数を抑えつつ、広範囲の光加飾部や複数の光加飾部を照明させることができる。
【０００９】
また、本発明において、前記光加飾部は、前記文字板の面上に配置され、
前記文字板は、その一部が、周囲の面に対して突出された突出部を有し、
前記光源は、前記文字板の裏側に配置され、裏側から前記文字板の前記突出部に向けて光を発し、
前記反射部は、前記突出部の内側に配置され、前記光源からの光を前記突出部の側面部から出射するように反射し、
前記反射部で反射された反射光を前記文字板の面上に走らせて、前記光加飾部を照明させることを特徴とする。
【００１０】
このように、光源を文字板の内側に配置することで、光源の設置場所を容易に確保できる。そして、光源からの光が、文字板の突出部に配置された反射部で反射されて突出部の側面部から出射されるので、その光を文字板の面上に走らせることができる。よって、文字板の面上に配置された光加飾部を照明させることができる。
【００１１】
また、本発明において、前記光加飾部は、前記文字板の面上に配置された立体加飾部であり、
前記光源からの光を前記突出部まで導く導光部であって、その端面が前記突出部の内側に位置し、且つ、前記端面の向きが角度調節されることで、前記端面が前記反射部とされた導光部を備え、
前記導光部の端面で反射された反射光を前記文字板の面上に走らせて、前記立体加飾部を照明させることを特徴とする。
【００１２】
これによれば、光加飾部は立体加飾部であるので、３次元的に照明させることができる。また、導光部によって、光源からの光を突出部まで効率良く導くことができる。そして、突出部に位置する導光部の端面が、その向きが角度調節されて反射部とされているので、光源からの光をその端面にて効率良く立体加飾部に向けて反射させることができる。よって、立体加飾部を明るく照明させることができる。
【００１３】
また、本発明において、前記立体加飾部は、透明樹脂から形成されたことを特徴とする。
【００１４】
これによれば、立体加飾部が透明樹脂から形成されているので、反射部で反射された反射光を、立体加飾部の内部に伝搬させることができる。これにより、反射光が直接当たらない立体加飾部の部分においても、立体加飾部を照明させることができる。
【００１５】
また、この場合、前記立体加飾部は、前記反射光が当たる面の面粗さの度合いが調節されたとしてもよい。
【００１６】
このように、立体加飾部の面の面粗さの度合いを調節することで、反射光が立体加飾部に当たったときの乱反射の様子や反射方向を変えることができる。よって、立体加飾部が照明されたときの様子を、立体加飾部の面の面粗さの度合いに応じて調節することができる。
【００１７】
また、本発明において、前記立体加飾部は、光を透過しない不透過樹脂から形成してもよい。
【００１８】
これによれば、立体加飾部が不透過樹脂から形成されているので、立体加飾部の表面において照明させることができる。そして、照明させたときに不透過樹脂の色に応じた雰囲気を出すことができる。
【００１９】
また、この場合、前記立体加飾部は、前記反射光が当たる面の光沢の度合いが調節されたとしてもよい。
【００２０】
このように、立体加飾部の面の光沢の度合いを調節することで、照明されたときの様子を調節することができる。
【００２１】
また、本発明において、前記光源からの光を前記突出部まで導く導光部であって、その端面が前記突出部の内側に位置し、且つ、前記端面の向きが角度調節されることで、前記端面が前記反射部とされた導光部と、
前記文字板に対して前側に差し出るように設けられ、前記文字板への異物の侵入を防止する見返しと、を備え、
前記導光部の端面で反射された反射光を前記文字板の面上に走らせて前記見返しに当てて、前記見返しを前記光加飾部として照明させるとしてもよい。
【００２２】
このように、既存の見返しを光加飾部として利用してもよく、この場合は、上述の立体加飾部を照明させたときと違った雰囲気を出すことができる。
【００２３】
また、本発明において、前記文字板は、前記突出部の上面部に表示内容を示すマークが記されており、前記突出部の周囲の所定領域が前記突出部の上面部を含む前記文字板の面に対して窪んでおり、
前記反射部は、前記光源からの光を、窪んだ前記所定領域である窪み領域の方向に反射し、
前記反射部で反射された反射光を前記窪み領域に当てて、前記窪み領域を前記光加飾部として照明させるとしてもよい。
【００２４】
このように、突出部の周囲に窪み領域を形成することで、反射光をその窪み領域に当てて照明させることができる。つまり、マークの周囲を光加飾することができる。また、突出部の周囲を窪ませることで、突出部の文字板の面に対する突出を抑えることができる。
【００２５】
また、この場合、前記光源からの光を前記突出部まで導く導光部であって、その端面が前記突出部の内側に位置し、且つ、前記端面の向きが角度調節されることで、前記端面が前記反射部とされた導光部を備えたとしてもよい。
【００２６】
これにより、光源からの光を効率良く反射させて窪み領域に当てることができるので、窪み領域の照明を明るくすることができる。
【００２７】
また、前記光源からの光は、前記光源からの光を前記突出部まで導く導光部を介さないで直接前記突出部に当てられ、
前記突出部自体を前記反射部としてもよい。
【００２８】
このように、窪み領域は突出部の周囲に形成されているので、突出部自体を反射部としたとしも、突出部に当たって反射された反射光によって、窪み領域で照明させることができる。よって、別に反射部を設ける必要がないので、部品点数を減らすことができる。
【００２９】
また、本発明において、前記文字板は透明樹脂から形成され、
前記光加飾部及び前記反射部は、前記文字板の裏側に配置され、
前記反射部で反射された反射光を前記文字板の裏側で走らせて、前記光加飾部を前記文字板の裏側で照明させ、その照明を前記文字板の前側から視認できるようにしたとしてもよい。
【００３０】
これによれば、上述の突出部を設ける必要がないので、見た目を良くすることができる。
【図面の簡単な説明】
【００３１】
【図１】車両用計器１の正面図である。
【図２】図１中のＡ−Ａ断面図である。
【図３】導光材７０を示した図である。
【図４】図２の破線領域Ｂ内の拡大図である。
【図５】立体加飾部３１〜３５が照明された状態を示した図である。
【図６】変形例１におけるＡ−Ａ断面図である。
【図７】立体加飾部３０の変形例の一覧表を示した図である。
【図８】第二実施形態の車両用計器１の正面図である。
【図９】図８中の突出部１５付近におけるＡ−Ａ断面図である。
【図１０】マーク１６及びその周囲の窪み領域１７が照明された状態を示した図である。
【図１１】変形例３を説明するための図である。
【図１２】第三実施形態の車両用計器１の正面図である。
【図１３】図１２中のＡ−Ａ断面図である。
【発明を実施するための形態】
【００３２】
（第一実施形態）
以下、本発明に係る表示装置を車両用計器に適用した実施形態について説明する。先ず、第一実施形態を説明する。図１は、本実施形態の車両用計器１の正面図、図２は、図１中のＡ−Ａ断面図である。この車両用計器１は、例えば車室内運転席前方のインストルメントパネル内に配置され、車両の運転に有益な情報や車両各部の作動状態に関する情報を表示するものである。
【００３３】
車両用計器１は、文字板１０、指針２１〜２４、立体加飾部３１〜３５、ケース４０、基板５０、ＬＥＤ６０、導光材７０及びリフレクター８０を備える。文字板１０は、車両用計器１の正面に配置され、光透過性を有する無色透明のポリカーボネイト樹脂あるいはアクリル樹脂等から形成される。その文字板１０は、その表面が表示内容に関する文字印刷が施される印刷面１０１とされる。具体的には、その印刷面１０１には、車両の運転の際に有益な各種メータの目盛り等が印刷されている。より具体的には、エンジン回転数メータの文字印刷１１、スピードメータの文字印刷１２、エンジン水温計の文字印刷１３及び燃料残量計の文字印刷１４が施されている。なお、以下の説明において、文字板１０に対して視認者側を前側とし、その反対側を裏側とする。
【００３４】
また、文字板１０には、各文字印刷１１〜１４に対応させて指針２１〜２４が取り付けられている。それら指針２１〜２４は、文字板１０の裏側に設けられたモータ（図示外）と接続されている、そして、各メータが対象とする物理量（エンジン回転数、車速、エンジン水温、燃料残量）を計測するセンサ（図示外）で計測された計測値に応じてモータが駆動されて、各指針２１〜２４がその計測値を示した目盛りを指示するようになっている。このように、文字板１０には、各文字印刷１１〜１４及び各指針２１〜２４から構成された各メータが表示される。
【００３５】
また、文字板１０は、図１の正面視における文字板１０の中心付近において、その一部が、周囲の印刷面１０１に対して突出された（図２参照）突出部１５が形成されている。その突出部１５は、図１に示すように、正面視円状とされる。また、突出部１５は、図２に示すように、Ａ−Ａ断面視凸状とされる。つまり、突出部１５は、内部に空間１５３を有する円筒状とされ、文字板１０の印刷面１０１と平行な上面部１５１と、印刷面１０１と垂直な側面部１５２とから構成される。
【００３６】
また、突出部１５は、文字板１０と同じ光透過性を有する無色透明な樹脂から形成され、その側面部１５２には印刷が施されていない。つまり、側面部１５２を介して、突出部１５の外側（文字板１０の前側）と内側（文字板１０の裏側）との間で、光が透過できるようになっている。
【００３７】
また、文字板１０の印刷面１０１には、その外周部を囲むように、光加飾部としての立体加飾部３１〜３５が設けられる。それら立体加飾部３１〜３５は、例えば無色透明のアクリル樹脂とされ、外部から光が当てられることで当該立体加飾部３１〜３５が照明されるものである。立体加飾部３１〜３５は、断面が半円状で（図２参照）、文字板１０の外周部に合った細長い棒状（図１参照）の形状とされる。そして、図１の正面視における文字板１０の上部、下部のそれぞれに、立体加飾部３１〜３５が設けられる。具体的には、文字板１０の下端に、立体加飾部３１が、文字板１０の下端に沿って設けられる。また、その立体加飾部３１の上隣りには、別の立体加飾部３２が設けられる。また、文字板１０の上端に、立体加飾部３３が、文字板１０の上端に沿って湾曲するように設けられる。また、その立体加飾部３３の下隣りには別の立体加飾部３４が設けられ、その立体加飾部３４の下隣りにはまた別の立体加飾部３５が設けられる。
【００３８】
図２に示すように、文字板１０の外周縁部から、文字板１０に対して裏側に立設するようにケース４０が設けられる。そのケース４０は、後述する基板５０、ＬＥＤ６０等の車両用計器１を構成する各部品を収容するものである。そして、そのケース４０の文字板１０と接続されていない側の端部と接続されて、基板５０が設けられる。その基板１０は、車両用計器１の制御を司るＣＰＵ（図示外）や後述するＬＥＤ６０等が実装されたものである。
【００３９】
光源としてのＬＥＤ６０は、図２に示すように、基板５０の、文字板１０の突出部１５と対向する位置に設けられる。そして、そのＬＥＤ６０は、基板５０に設けられたＣＰＵ（図示外）からの点灯信号に基づいて、突出部１５に向けて光を発するものである。また、基板５０と文字板１０の間において、光を反射する筒状のリフレクター８０がＬＥＤ６０を囲むように設けられ、ＬＥＤ６０からの光が外部に漏れないようにされている。
【００４０】
また、図２に示すように、ＬＥＤ６０と文字板１０の突出部１５の間において、アクリル樹脂等から形成された導光材７０（導光部）が設けられる。その導光材７０は、入射された光を、自身の内部に沿って出射口まで効率良く伝達させるものである。ここで、図３は、導光材７０を示した図であり、（ａ）導光材７０の斜視図、（ｂ）導光材７０の側面視における断面図を示している。図３に示すように、導光材７０は、円柱状の形状とされ、その一方の先端が、逆三角錐形状となるように、内側に凹まれている。具体的には、図３（ｂ）に示すように、逆三角錐の頂点角度が９０°となっており、その頂点から導光材７０の先端外周部に渡って放射するように端面７１が形成されている。また、その端面７１は、導光材７０の先端外周部との成す角度が４５°とされている。
【００４１】
このように、導光材７０の一方の端面７１は、その向きが角度調節されている。そして、このように角度調節することにより、端面７１を光の反射面（反射部）として機能させることができる。具体的には、図３（ｂ）に示すように、端面７１に対して４５°の入射角で入射された光ＬＬを、直角に曲げて反射させることができる。
【００４２】
そして、その導光材７０は、図２に示すように、角度調節された端面７１が突出部１５の空間部１５３に位置し、他方の端面がＬＥＤ６０の直ぐ上に位置するように、設けられる。
【００４３】
以上のように構成された車両用計器１において、次に、立体加飾部３１〜３５を照明させるときの車両用計器１の動作について説明する。ここで、図４は、図２の破線領域Ｂ内の拡大図であり、ＬＥＤ６０からの光の進行を説明するための図である。ＬＥＤ６０は、ＣＰＵ（図示外）からの点灯信号に基づいて、点灯して光を発する。そして、そのＬＥＤ６０からの光ＬＬ１は、図４に示すように、導光材７０に入射して、その導光材７０の内部を、導光材７０の側面と反射しながら突出部１５に向かって進行していく。つまり、光ＬＬ１は、導光材７０の外にできるだけ漏れないように進行する。
【００４４】
そして、その光ＬＬ１が導光材７０の端面７１に達すると、端面７１において反射される。この際、端面７１は、上述したように、逆三角錐形状となるように角度調節されているので（図３参照）、入射された光ＬＬ１を、直角に曲げて反射させる。反射された反射光ＬＬ２は、突出部１５の印刷が施されていない側面部１５２から、文字板１０の前側に出射されて、文字板１０の印刷面１０１上を、文字板１０の外周部に向かって進行する。文字板１０の外周部には、立体加飾部３１〜３５が設けられているので、反射光ＬＬ２は、その立体加飾部３１〜３５に当たる。より具体的には、それら立体加飾部３１〜３５のうち、突出部１５に近い側に設けられている下側の立体加飾部３２及び上側の立体加飾部３５に、反射光ＬＬ２が直接当たる。
【００４５】
立体加飾部３２、３５に当たった反射光ＬＬ２は、その立体加飾部３２、３５において乱反射される。この際、立体加飾部３２、３５は光を透過する透明樹脂から形成されているので、当たった反射光ＬＬ２の一部が立体加飾部３２、３５の内部を進行する。そして、反射光ＬＬ２が当たった部分以外の部分においても反射光ＬＬ２が乱反射される。
【００４６】
さらに、立体加飾部３２、３５で乱反射された反射光ＬＬ２は、隣りに設けられた他の立体加飾部３１、３３、３４とも、同じように乱反射される。なお、導光材７０の端面７１は逆三角錐形状とされているので、ＬＥＤ６０からの光ＬＬ１は、端面７１において、文字板１０の外周部に向けて、突出部１５を中心とした３６０°の全方向に反射される。よって、図５に示すように、文字板１０の外周部に設けられた立体加飾部３１〜３５の全範囲を照明させることができる。また、この際、立体加飾部３１〜３５は、断面半円状とされているので、立体加飾部３１〜３５を中心として放射状に照明させることができる。さらに、立体加飾部３１〜３５は、立体の透明樹脂から形成されているので、３次元的に照明させることができる。
【００４７】
以上説明したように、本実施形態の車両用計器１では、ＬＥＤ６０からの光を導光材７０の端面７１で反射させることにより、立体加飾部３１〜３５ごとにＬＥＤを設けなくても、それら立体加飾部３１〜３５を照明させることができる。よって、ＬＥＤの個数を抑えることができるとともに、ＬＥＤの設置場所を容易に確保できる。また、ＬＥＤ６０は、文字板１０の裏側に設けられており、視認者に視認できないようになっているので、見た目を良くすることができる。また、文字板１０に突出部１５を設けることで、ＬＥＤ６０からの光を、文字板１０の印刷面１０１上に走らせて、立体加飾部３１〜３５を照明させることができる。そして、立体加飾部３１〜３５を照明させることで、車両用計器１にクリスタル感を出したり、豪華な印象を与えたりすることができる。また、文字板１０に表示される各メータの視認性を向上できる。
【００４８】
（変形例１）
次に、上記第一実施形態の変形例について説明する。ここで、図６は、この変形例を説明するための図であり、図４のＡ−Ａ断面図を変形した図である。具体的には、図４の立体加飾部３２に代えて、他の立体加飾部３０が記されており、また、文字板１０に対して前側に差し出るように設けられた、文字板１０への異物の侵入を防止する見返し（ひさし）９０が記されている。なお、その他図４と同じ機能を有する部品には同じ符号を付している。
【００４９】
図６に示すように、立体加飾部３０は、第一実施形態の立体加飾部３２に限定されるわけではなく、必要に応じて形状等を変形することができる。ここで、図７は、立体加飾部３０の変形例の一覧表を示した図である。なお、図７は、各立体加飾部の断面図を示しており、入射された反射光ＬＬ２１の反射の様子も示している。
【００５０】
図７に示すように、立体加飾部３０は、第一実施形態と同じように透明樹脂で形成する場合が考えられる。この場合、図７の透明樹脂で形成された立体加飾部３０１〜３０６は、図６の反射光ＬＬ２１を、立体加飾部３０１〜３０６の内部に伝搬させることができるので、立体加飾部３０１〜３０６を全体的に照明させることができる。
【００５１】
また、立体加飾部３０を透明樹脂で形成する場合において、反射光ＬＬ２１が当たる面の面粗さの度合いを調節するようにしてもよい。図７に示すように、反射光ＬＬ２１が当たる面にシボ加工を施した立体加飾部３０１、３０３、３０５は、シボ加工を施してない立体加飾部３０２、３０４、３０６に比べて面が粗くなっている。そのため、立体加飾部３０１、３０３、３０５は、反射光ＬＬ２１が当たったときに、反射光ＬＬ２１が乱反射する度合いが大きくなって、ぼんやりした感じ、やわらかい感じで照明させることができる。
【００５２】
これに対して、シボ加工が施されていない立体加飾部３０２、３０４、３０６は、反射光ＬＬ２１が当たったときに、反射光ＬＬ２１が乱反射する度合いが小さくなって、強い感じで照明させることができる。
【００５３】
また、立体加飾部３０を透明樹脂で形成する場合において、立体加飾部３０の断面形状を必要に応じて変形することができる。図７に示す立体加飾部３０１、３０２は、反射光ＬＬ２１が当たる面が平面となっており、かつその面が反射光ＬＬ２１に対して斜めに傾いた断面形状をしている。これにより、反射光ＬＬ２１を立体加飾部３０１、３０２において視認者側の一定方向に反射させることができる。よって、特定方向から立体加飾部３０１、３０２を見たときに、強く光っているように視認させることができる。
【００５４】
また、立体加飾部３０３、３０４は、半円状の断面形状をしている。この場合は、半円の円弧から放射するように照明させることができる。また、立体加飾部３０５、３０６は、反射光ＬＬ２１が当たる面が湾曲した断面形状をしている。この場合は、湾曲面の円弧から放射するように照明させることができる。
【００５５】
このように、断面形状を変えることで、反射光ＬＬ２１が当たったときの反射の様子を変えることができ、それによって、照明の様子を異ならせることができる。
【００５６】
また、立体加飾部３０を、ＡＢＳ樹脂等、光を透過しない不透過樹脂で形成してもよい。この場合、図７の不透過樹脂で形成された立体加飾部３０７〜３１２は、反射光ＬＬ２１が当たる表面において照明させることができる。そして、照明させたときに、不透過樹脂の色に応じて照明の様子を異ならせることができる。例えば、不透過樹脂の色として、赤色、銀色等の明るい色を採用することができる。
【００５７】
また、立体加飾部３０を不透過樹脂で形成した場合において、その表面の光沢の度合いを調節するようにしてもよい。図７に示す表面が光沢処理が施された立体加飾部３０７、３０９、３１１は、強い感じで照明させることができる。これに対し、表面が光沢処理が施されていない立体加飾部３０８、３１０、３１２は、やわらかい感じ、ぼんやりした感じで照明させることができる。
【００５８】
また、立体加飾部３０を不透過樹脂で形成する場合においても、立体加飾部３０の断面形状を必要に応じて変形することができる。図７に示す立体加飾部３０７、３０８は、反射光ＬＬ２１が当たる面が平面となっており、かつその面が反射光ＬＬ２１に対して斜めに傾いた断面形状をしている。また、立体加飾部３０９、３１０は、半円状の断面形状をしている。また、立体加飾部３１１、３１２は、反射光ＬＬ２１が当たる面が、断面視円弧状をしており、かつ、その面が２段に分かれた断面形状をしている。このように、断面形状を変えることで、反射光ＬＬ２１が当たったときの反射の様子を変えることができ、それによって、照明の様子を異ならせることができる。
【００５９】
（変形例２）
上記実施形態では、文字板１０に立体加飾部３１〜３５を設けて、それらを照明させていたが、図６に示すように、見返し９０に反射光ＬＬ２２を当てて、見返し９０を光加飾部として照明させてもよい。この場合、反射光ＬＬ２２が見返し９０に当たるように、導光材７０の反射面７１の向きを適宜調節すればよい。これによって、立体加飾部を照明させたときと違った雰囲気を出すことができる。
【００６０】
（第二実施形態）
次に、第二実施形態を説明する。図８は、第二実施形態の車両用計器１の正面図、図９は、図８中の突出部１５付近におけるＡ−Ａ断面図である。なお、図８、図９において、第一実施形態と同じ機能を有する部品には同じ符号を付している。以下、第一実施形態と異なる部分を中心にして説明する。
【００６１】
図８に示すように、突出部１５が設けられる位置が第一実施形態と異なっており、具体的には、第一実施形態のときよりも図８における下の方に設けられている。また、図９に示すように、突出部１５の周囲の一定の領域において、突出部１５の上面部１５１及び文字板１０の印刷面１０１に対して窪んだ窪み領域１７が形成されている。その窪み領域１７は、光加飾部として機能し、図８に示すように、中心に突出部１５が位置するように形成された、外周形状が円状とされる領域である。また、窪み領域１７は、図９に示すように、側面視において、突出部１５と接続された内周側から印刷面１０１と接続された外周側に向かって傾斜して形成されている。
【００６２】
突出部１５は、その周囲の窪み領域１７が窪んで形成されているために、窪み領域１７に対しては突出しているが、文字板１０の印刷面１０１に対しては突出していない。すなわち、突出部１５の上面部１５１と印刷面１０１とは、同じ高さとされる。
【００６３】
また、図８に示すように、突出部１５の上面部１５１には、マーク１６（「ＥＣＯ」マーク）が記されている。そのマーク１６は、点灯されることで、そのマーク１６に応じた意味内容を示すマークとされ、具体的には、車両が現在環境に配慮した走行をしていることを示すＥＣＯモードを示すものである。なお、マーク１６としては、ＥＣＯマークに限定されるわけではない。
【００６４】
基板５０、ＬＥＤ６０、導光材７０及びリフレクター８０等の他の部品は、第一実施形態と同じである。
【００６５】
以上のように構成された車両用計器１において、次に、窪み領域１７を照明させるときの車両用計器１の動作について図９を参照して説明する。ＬＥＤ６０からの光ＬＬ１は、第一実施形態と同様に、導光材７０の内部を突出部１５に向かって進行していき、導光材７０の端面７１に達すると、端面７１において直角に反射される。そして、窪み領域１７が傾斜して形成されているので、その反射光ＬＬ２は窪み領域１７に当たる。この際、反射光ＬＬ２が窪み領域１７の全部に当たるように、端面７１の大きさや窪み領域１７の大きさが調節されている。
【００６６】
さらに、ＬＥＤ６０からの光ＬＬ１が端面７１に当たった際、その光ＬＬ１の一部が突出部１５において乱反射され、突出部１５の上面部１５１からも光が出射される。よって、図１０に示すように、マーク１６が点灯されるとともに、その周囲の窪み領域１７が照明されて、マーク１６に対して光加飾がなされる。
【００６７】
以上説明したように、本実施形態では、マーク１６を光加飾できるとともに、突出部１５が文字板１０の印刷面１０１に対して突出していないので、見た目を良くすることができる。
【００６８】
（変形例３）
次に、第二実施形態の変形例について説明する。図１１は、この変形例を説明するための図であり、図９において導光材７０が取り除かれた図である。すなわち、この変形例では、導光材を用いないで、ＬＥＤ６０からの光ＬＬ１を直接突出部１５に当てる。そして、突出部１５自体を反射部として機能させるものである。
【００６９】
この場合、図１１に示すように、ＬＥＤ６０からの光ＬＬ１は、突出部１５に向かって進行する。この際、導光材を用いていないので、用いたときよりも効率が落ちるかもしれないが、光ＬＬ１が突出部１５に到達する。突出部１５に到達した光ＬＬ１は、突出部１５の上面部１５１や側面部１５２に当たって乱反射する。その乱反射された光の一部が、反射光ＬＬ２として、突出部１５の側面部１５２から出射して、窪み領域１７に当たる。また、上記と同様に、突出部１５の上面部１５１からも光が出射する。
【００７０】
よって、導光材を用いたときよりも強度が弱いかもしれないが、図１０に示すように、マーク１６が点灯されるとともに、その周囲の窪み領域１７が照明されて、マーク１６に対して光加飾がなされる。また、導光材を用いていないので、部品点数の削減を図ることができる。
【００７１】
（第三実施形態）
次に、第三実施形態を説明する。図１２は、第三実施形態の車両用計器１の正面図、図１３は、図１２中のＡ−Ａ断面図である。なお、図１２、図１３において、第一、第二実施形態と同じ機能を有する部品には同じ符号を付している。以下、第一、第二実施形態と異なる部分を中心にして説明する。
【００７２】
本実施形態の文字板１０は、突出部が形成されておらず、全体が平面とされる。また、文字板１０には立体加飾部が設けられていない。さらに、文字板１０は、その表面が印刷面１０１とされているが、文字板１０の外周部（図１の立体加飾部３１〜３５が設けられた部分）においては印刷面１０１とされておらず、文字板１０の前側と裏側の間を光が透過できるようになっている。
【００７３】
立体加飾部３６は、図１２に示すように、文字板１０の裏側に設けられている。具他的には、その立体加飾部３６は、文字板１０の裏側に設けられた他の板部材２００（例えば拡散材）の上に設けられる。また、立体加飾部３６は、文字板１０の外周部（図１の立体加飾部３１〜３５が設けられた部分）の下に位置するように設けられる。なお、立体加飾部３６の材質や形状は、第一実施形態で示した種々の態様が考えられる。
【００７４】
また、図１２に示すように、ＬＥＤ６０と文字板１０の間において、導光材７５が設けられる。具体的には、導光材７５は、文字板１０の中心付近（図１の突出部１５が形成された位置）の下に位置するように設けられる。その導光材７５は、第一実施形態と同様に、円柱状の形状とされ、その一方の先端が、逆三角錐形状となるように内側に凹まれて、反射部としての端面７６を形成している。また、導光材７５は、端面７６が、他の板部材２００と文字板１０との間において、立体加飾部３６と同程度の高さとなるように設けられる。その端面７６は、第一実施形態と同様に角度調節されており、端面７６に対して４５°の入射角で入射された光を、直角に曲げて反射させるものである。
【００７５】
また、リフレクター８０は、導光材７５を一部囲むように設けられる。具体的には、リフレクター８０は、導光材７５の端面７６以外の部分に対しては囲み、端面７６に対しては囲まないように設けられる。端面７６で反射された反射光を出射するためである。なお、基板５０及びＬＥＤ６０等のその他の部品は、第一、第二実施形態と同じである。
【００７６】
以上のように構成された車両用計器１において、ＬＥＤ６０からの光ＬＬ１は、導光材７５の内部を端面７６に向かって進行していき、端面７６に達すると、端面７６において直角に反射される。反射された反射光ＬＬ２は、他の板部材２００の上を、板部材２００の外周部に向かって進行し、立体加飾部３６に当たる。よって、立体加飾部３６が照明される。そして、その立体加飾部３６に当たった反射光ＬＬ２は、立体加飾部３６において乱反射して、文字板１０の外周部を介して文字板１０の前側に出射される。よって、照明された立体加飾部３６を、文字板１０を前側から視認させることができる。
【００７７】
以上説明したように、本実施形態では、立体加飾部３６を文字板１０の裏側で照明させるようにしたので、文字板１０に突出部を設ける必要がない。よって、見た目を良くすることができる。
【００７８】
なお、本発明の表示装置は上記実施形態に限定されるわけではなく、特許請求の範囲を逸脱しない限りにおいて変形することができる。例えば、上記第一実施形態では、文字板１０の外周全部を囲むように立体加飾部３１〜３５を設けていたが、立体加飾部はどの位置に設けてもよい。この場合、導光材７０の端面７１は、立体加飾部の位置に応じて、その向きを調節すればよい。また、車両用計器以外に、光加飾がなされる他の表示装置にも適用可能である。
【符号の説明】
【００７９】
１  車両用計器
１０  文字板
１０１  印刷面
１５  突出部
１６  マーク
１７  窪み領域
１５１  突出部の上面部
１５２  突出部の側面部
３０、３１〜３５、３６、３０１〜３１２  立体加飾部（光加飾部）
６０  ＬＥＤ（光源）
７０、７５  導光材（導光部）
７１、７６  導光材の端面（反射部）
９０  見返し
【図１】
2011186281.tif 000003
【図２】
2011186281.tif 000004
【図３】
2011186281.tif 000005
【図４】
2011186281.tif 000006
【図５】
2011186281.tif 000007
【図６】
2011186281.tif 000008
【図７】
2011186281.tif 000009
【図８】
2011186281.tif 000010
【図９】
2011186281.tif 000011
【図１０】
2011186281.tif 000012
【図１１】
2011186281.tif 000013
【図１２】
2011186281.tif 000014
【図１３】
2011186281.tif 000015